(57)【特許請求の範囲】
【請求項１】
食器の本体の表面部に布を張り付けて製造される布張りの食器において、
前記布は、ガーゼまたはガーゼ風の布目の粗い布からなり、
前記布が、その布と布との間に、布が張り付けられていない部分が形成されるように、前記本体の表面部に張り付けられ、
前記布の布目の粗さが残るように、透明樹脂塗料が前記表面部と前記布とに塗布されて、表面処理が施されるとともに、前記布が張り付けられていない部分と前記布との段差による凹凸が形成されてなることを特徴とする布張りの食器。
【請求項２】
ガーゼまたはガーゼ風の布目の粗い布を生地状態で着色等した後、その布を、型抜きにより任意形状に切断して複数枚の布片を形成し、その後、
それら布片を、その布片と布片との間に、布が張り付けられていない部分が形成されるように、食器の本体の表面部に張り付け、
前記布片の布目の粗さが残るように、透明樹脂塗料を前記表面部と前記布片とに塗布して、表面処理を施すとともに、前記布が張り付けられていない部分と前記布片との段差による凹凸が形成されることを特徴とする布張りの食器の製造方法。
【請求項３】
ガーゼまたはガーゼ風の布目の粗い布を、型抜きにより任意形状に切断して複数枚の布片を形成した後に、着色等し、その後、
それら布片を、その布片と布片との間に、布が張り付けられていない部分が形成されるように、食器の本体の表面部に張り付け、
前記布片の布目の粗さが残るように、透明樹脂塗料を前記表面部と前記布片とに塗布して、表面処理を施すとともに、前記布が張り付けられていない部分と前記布片との段差による凹凸が形成されることを特徴とする布張りの食器の製造方法。
【発明の詳細な説明】
【０００１】
【発明の属する技術分野】
この発明は、本体の表面部に布を張り付けた食器及びその製造方法に関するものである。
【０００２】
【従来の技術】
従来、たとえば、食器としての箸１の一対の箸本体２、２の表面部２ａ、２ａには、外観を演出するという観点から、たとえば図６のような、布目の細かい布３をその箸本体２、２の表面部２ａ、２ａに張り付けた布張りの箸が製造されていた。この布張りの箸１は、あらかじめ長方形に切断されたの布の裏面に、漆糊、木工用ボンドあるいは合成糊等を塗った後で、その箸本体の表面部全体に巻き付け、十分乾燥させてから漆または合成樹脂塗料で着色し、その後、一般的な表面処理（透明樹脂塗料を２〜３回塗り重ねる）が施されて、製造されていた。
【０００３】
【発明が解決しようとする課題】
ところが、前記箸本体２、２の表面部２ａ、２ａ全体に布を張り付けた後で、着色するのは、細かい作業となるため大変面倒であり、しかも箸１の柄が単調になるという問題があった。また、その箸本体２、２の表面部２ａ、２ａに布を巻き付けるという方法では、その表面部２ａ、２ａ全体に布を巻き付けた後で前記表面処理を施すと、その布の表面は滑らかになり、箸１を持つときに滑り易いという問題があった。
【０００４】
この発明は、上記した従来の欠点を解決するためになされたものであり、その目的とするところは、本体の表面部を滑りにくくすることができる布張りの食器を提供することにある。また、他の目的は、前記布張りの食器を、迅速に、かつ、効率的に製造できる製造方法を提供することにある。
【０００５】
【課題を解決するための手段】
この発明に係る布張りの食器及びその製造方法は、前記目的を達成するために、次の構成からなる。すなわち、
請求項１に記載の発明に係る布張りの食器は、食器の本体の表面部に布を張り付けて製造される布張りの食器である。ここにおいて、前記布は、ガーゼまたはガーゼ風の布目の粗い布からなる。そこで、前記布が、その布と布との間に、布が張り付けられていない部分が形成されるように、前記本体の表面部に張り付けられている。そして、前記布の布目の粗さが残るように、透明樹脂塗料が前記表面部と前記布とに塗布されて、表面処理が施されるとともに、前記布が張り付けられていない部分と前記布との段差による凹凸が形成されている。
【０００６】
これにより、本体の表面部に張り付けられたガーゼまたはガーゼ風の布目の粗い布は、表面処理が施された後でも、その布の布目の粗さが残り、その布の表面にはざらざらとした小さな凹凸ができる。しかも、布は、その布と布との間に、布が張り付けられていない部分が形成されるように、本体の表面部に張り付けられており、この布が張り付けられていない部分と布との段差により、食器の本体の表面部には、大きめの凹凸もできる。
【０００７】
ここで「食器」とは、食事に使う器具および容器であり、たとえば、箸、椀、皿、重箱等である。また、ここで「ガーゼ風」とは、木綿、麻、絹あるいはその他の素材で製織または製編されたガーゼのような目の粗い布である。
【０００８】
【０００９】
【００１０】
また、請求項２に記載の発明に係る布張りの食器の製造方法は、ガーゼまたはガーゼ風の布目の粗い布を生地状態で着色等した後、その布を、型抜きにより任意形状に切断して複数枚の布片を形成し、その後、それら布片を、その布片と布片との間に、布が張り付けられていない部分が形成されるように、食器の本体の表面部に張り付け、前記布片の布目の粗さが残るように、透明樹脂塗料を前記表面部と前記布片とに塗布して、表面処理を施すとともに、前記布が張り付けられていない部分と前記布片との段差による凹凸が形成されることを特徴とする。
【００１１】
これにより、ガーゼまたはガーゼ風の布目の粗い布は、着色等した後、たとえば、帯状あるいは三角形状等の任意形状に型抜きされる。そして、型抜きされた布片は、その布片と布片との間に、布が張り付けられていない部分が形成されるように、食器の本体の表面部に張り付けられる。そして、透明樹脂塗料が、表面部と布片とに、布片の布目の粗さが残るように塗布される。こうして製造された食器は、本体の表面部に張り付けられたガーゼまたはガーゼ風の布目の粗い布片が、表面処理が施された後でも、その布片の布目の粗さが残り、その布片の表面にはざらざらとした小さな凹凸ができる。しかも、布片は、その布片と布片との間に、布が張り付けられていない部分が形成されるように、本体の表面部に張り付けられており、この布が張り付けられていない部分と布片との段差により、食器の本体の表面部には、大きめの凹凸もできる。
【００１２】
また、請求項３に記載の発明に係る布張りの食器の製造方法は、ガーゼまたはガーゼ風の布目の粗い布を、型抜きにより任意形状に切断して複数枚の布片を形成した後に、着色等し、その後、それら布片を、その布片と布片との間に、布が張り付けられていない部分が形成されるように、食器の本体の表面部に張り付け、前記布片の布目の粗さが残るように、透明樹脂塗料を前記表面部と前記布片とに塗布して、表面処理を施すとともに、前記布が張り付けられていない部分と前記布片との段差による凹凸が形成されることを特徴とする。
これにより、ガーゼまたはガーゼ風の布目の粗い布は、型抜きした後、着色等される。そして、着色等された布片は、その布片と布片との間に、布が張り付けられていない部分が形成されるように、食器の本体の表面部に張り付けられる。そして、透明樹脂塗料が、表面部と布片とに、布片の布目の粗さが残るように塗布される。こうして製造された食器は、本体の表面部に張り付けられたガーゼまたはガーゼ風の布目の粗い布片が、表面処理が施された後でも、その布片の布目の粗さが残り、その布片の表面にはざらざらとした小さな凹凸ができる。しかも、布片は、その布片と布片との間に、布が張り付けられていない部分が形成されるように、本体の表面部に張り付けられており、この布が張り付けられていない部分と布片との段差により、食器の本体の表面部には、大きめの凹凸もできる。
【００１３】
【発明の実施の形態】
以下、本発明を、布張りの箸に具体化した第一の実施の形態について、図面に基づいて説明する。
【００１４】
布張りの箸４は、図１に示されるように、一対の箸本体５、５からなる。これらの箸本体５、５の表面部５ａ、５ａには、複数枚の異なる大きさ、異なる色（模様も異なっていても構わない）の三角形状のガーゼ風の布目の粗い布である布片６が、たとえば散点状で模様を形成するように張り付けられている。
【００１５】
これらの布片６は、具体的には、木綿、麻、絹あるいはその他の自然素材の糸で製織されたガーゼ風の布目の粗い布であるのが望ましいが、それ以外の合成繊維からなっていてもよい。但し、それらの布片６の布目は、その表面部に表面処理（透明塗料の塗布）を施した後でも布目の粗さが残るように、できるだけ布目の粗い布であるのが望ましい。なお、ガーゼ風の布目の粗い布は、木綿を素材とするガーゼであってもよいことは勿論である。
【００１６】
次に、この布張りの箸４の製造方法について説明する。まず、生地状態のガーゼ風の布目の粗い布（図示なし）を、たとえば吹き付け等の方法で任意の色に着色したり、必要によっては模様等の装飾を加えた後、その生地状態の布の裏面に適宜固着手段、たとえば、剥離紙付きの両面粘着テープを取り付ける。そして、この剥離紙付きの両面粘着テープが取り付けられた前記生地状態の布を型抜きにより、任意の大きさで、たとえば三角形状等の適宜形状に切断して布片６を一枚製作する（もっとも、裏面にあらかじめ剥離紙付きの両面粘着テープを取り付けた生地状態の布を、着色等した後、型抜きにより切断する方法でも構わないし、着色等および型抜きした後に、剥離紙付きの両面粘着テープを布の裏面に取り付ける方法であっても構わない。）。同様に、複数枚の布片６を、異なる大きさ、異なる色等で製作する。そして、それらの複数枚の布片６を、剥離紙を取り除いた前記両面粘着テープ７を用いて、前記箸本体５、５の表面部５ａ、５ａに、たとえば散点状に張り付ける。その後、たとえば、エポキシ樹脂塗料、ウレタン樹脂塗料等の透明樹脂塗料を、前記表面部５ａ、５ａと、前記布片６とに塗布して、表面処理を施す。このとき、その表面処理は、前記布片６の布目の粗さが残る程度に施されるのがよい。なお、前記表面部５ａ、５ａに張り付けられる布片６は、全て同じ大きさ及び同じ色であってもよい。また、箸本体５、５の表面部５ａ、５ａに、予め表面処理が施されている場合、張り付けられた布片６の表面処理を省略しても構わない。あるいは、前記表面部５ａ、５ａと、前記布片６とに、全く表面処理を施さなくてもよい。この場合、その布片６に表面処理を施さないので一見して布であることを認識できるため、温もりや柔らかさを感じることができる。
【００１７】
次に、この第一の実施の形態に示す布張りの箸４及びその製造方法の作用効果について説明する。任意の色彩で着色を施した（必要によっては模様付けもした）、裏面に剥離紙付きの両面テープが付されたガーゼ風の布目の粗い布を、任意形状（図示実施の形態では三角形状）に、型抜きによって切断すると、小さくて細いものや、複雑な形状のものでも効率的よく製造することができる（型抜き後に、剥離紙付きの両面粘着テープを布に取り付けてもよい。）。また、前記布片６を、剥離紙を取り除いた両面粘着テープ７で、箸本体５、５の表面部５ａ、５ａに迅速に張り付けることができる。また、様々な形状の布片や、異なった色の布片を、模様を形成するように張り付けることで、複雑な模様の布張りの箸にすることもできる。
【００１８】
また、箸本体５、５の表面部５ａ、５ａに張り付けられた前記布片６は、布目が粗いので、表面処理が施された後でも布目の粗さが残る。このため、前記布片６の表面部には、ざらざらとした小さな凹凸８ができ、しかも、前記布片６は散点状に張り付けられているので、布片６と布片６との間には、布が張り付けられていない部分９が形成され、この布が張り付けられていない部分９と、前記布片６との段差により、前記表面部５ａ、５ａには、大きめの凹凸ができる（図２参照）。また、布片６を複数枚重ね合わせるように張り付けることもでき、この重ね合わせの張り付けでデザインの修正も容易であるとともに、さらなる凹凸が生じる。
【００１９】
よって、前記布張りの箸４を用いて食事をするとき、前記小さな凹凸８と前記大きめの凹凸が、あるいは重ね張りによる凹凸が滑り止めとなるため、持ち易く、使い易い箸となる。
【００２０】
図３は、本発明に係る第二の実施の形態を、布張りの箸に具体化したものである。この第二の実施の形態の布張りの箸１０は、第一の実施の形態と同様に、木製の一対の箸本体１１、１１の表面部１１ａ、１１ａに、ガーゼ風の布目の粗い布を張り付けたものである。この第二の実施の形態と、第一の実施の形態との違いは、前記表面部１１ａ、１１ａに張り付けられるガーゼ風の布目の粗い布の形状と、その表面部１１ａ、１１ａに張り付けたときにできる模様の形態とが異なる点にある。すなわち、ガーゼ風の布目の粗い布としての帯形状の布帯１２が用いられ、その布帯１２は、ストライプ状の模様を描くように、表面部１１ａ、１１ａに巻き付けられるようにして張り付けられるので、その巻き付けられた布帯１２の布と布との間には、布が張り付けられていない部分９が形成され、この布が張り付けられていない部分９と、前記布帯１２との段差により、前記表面部１１ａ、１１ａには、大きめの凹凸ができる。
【００２１】
このように、前記表面部１１ａ、１１ａに張り付けられるガーゼ風の布目の粗い布は、帯形状の布帯１２であってもよいし、それ以外の形状、たとえば、リング形状、波形状等であってもよく、要するに、布目の粗い布が張り付けられていない部分が、その布とその布との間に形成されて、その張り付けられていない部分と、その布との段差によって、前記表面部１１ａ（５ａ）に大きめの凹凸ができるのであれば、前記ガーゼ風の布目の粗い布の切断形状とかその張り付けの形態は、とくに限定されない。
【００２２】
この第二の実施の形態に示す布張りの箸１０の製造方法は、第一の実施の形態とほぼ同様であって、好ましくは、箸本体１１、１１の表面部１１ａ、１１ａに、布帯１２、１２を張り付けた後、その表面部１１ａ、１１ａと前記布帯１２、１２とに、エポキシ樹脂塗料、ウレタン樹脂塗料等の透明樹脂塗料を塗布して、表面処理を施す。
【００２３】
なお、箸本体１１（５）の表面部１１ａ（５ａ）のほぼ全体にもしくは全体に、ガーゼ風の布目の粗い布を張り付けた後、その布の上に、さらにたとえば部分的に別のガーゼ風の布目の粗い布を張り合わせて、大きめの凹凸を形成するようにしてもよい。
【００２４】
図４は、本発明に係る第三の実施の形態を、布張りの椀に具体化したものである。この第三の実施の形態の布張りの椀１３は、椀本体１４の表面部とくにその外表面部１４ａに、ガーゼ風の布目の粗い布である帯形状の布帯１５を、ストライプ状に張り付けたものである。よって、布帯１５の布と布との間には、布が張り付けられていない部分９が形成される。
【００２５】
なお、この第三の実施の形態に示す布張りの椀１３の製造方法は、第一の実施の形態とほぼ同様であり、その作用効果も、ほぼ同様である。
【００２６】
図５は、本発明に係る第四の実施の形態を、布張りの重箱に具体化したものである。この第四の実施の形態の布張りの重箱１６は、重箱本体１７の表面部とくにその外表面部１７ａに、ガーゼ風の布目の粗い布である三角形状の布片１８を、散点状で複数枚張り付け、蓋１９の表面部１９ａに、ガーゼ風の布目の粗い布である四角形状の布片２０を、散点状で複数枚張り付けたものである。よって、布片１８と布片１８との間には、布が張り付けられていない部分９が形成され、また、布片２０と布片２０との間には、布が張り付けられていない部分９が形成される。
【００２７】
なお、この第四の実施の形態に示す布張りの重箱１６の製造方法は、第一の実施の形態とほぼ同様であり、その作用効果も、ほぼ同様である。
【００２８】
また、上述したように本発明が実施される布張りの食器としては、箸、椀、重箱に限定されることなく、たとえば、杯、弁当箱、菓子箱、箸箱等のその他の食器であってもよい。そして、これらの布張りの食器の素材は、木製の食器であるのが望ましいが、それ以外の材質、たとえば、竹製、紙製、合成樹脂製、金属製等の食器であってもよい。また、布張りの食器の表面部に張り付けられた布片、布帯等の模様の形態は、既述の通り、必ずしも散点状や、ストライプ状の形態に限定されるわけではなく、亀甲形状、星形状、千鳥形状、その他の種々の形態からなる模様であってもよく、とくに限定されない。
【００２９】
さらに、上述した実施の形態においては、布の着色については、型抜きにより任意形状に切断する前に行う形態について説明したが、型抜きにより任意形状に切断した後に、吹き付け等の方法で行うようにしてもよい。
【００３０】
【発明の効果】
以上、詳述したところから明らかなように、この発明に係る布張りの食器及びその製造方法によれば、次の効果がある。
【００３１】
請求項１に記載された布張りの食器によれば、たとえば、油あるいは食べ物の煮汁等が付いた手でその布張りの食器を使用したり、持ったりしても、その前記ガーゼまたはガーゼ風の布目の粗い布表面部のざらざらとした小さな凹凸が、食器本体の表面部の滑り止めになるため、使い易いあるいは持ち易い食器にすることができる。
【００３２】
しかも、布は、その布と布との間に、布が張り付けられていない部分が形成されるように、本体の表面部に張り付けられており、この布が張り付けられていない部分と布との段差により、食器の本体の表面部には、大きめの凹凸もでき、前記本体の表面部を一層滑りにくくすることができる。
【００３３】
また、請求項２および３に記載された布張りの食器の製造方法によれば、複雑な色彩および模様からなる布張りの食器であっても、効率的に製造することができる。
【図面の簡単な説明】
【図１】  この発明に係る布張りの食器を箸に具体化した第一の実施の形態の正面図である。
【図２】  図１におけるＡ−Ａ線による拡大端面図である。
【図３】  この発明に係る布張りの食器を箸に具体化した第二の実施の形態の正面図である。
【図４】  この発明に係る布張りの食器を椀に具体化した第三の実施の形態の斜視図である。
【図５】  この発明に係る布張りの食器を重箱に具体化した第四の実施の形態の斜視図である。
【図６】  従来の、布張りの箸の正面図である。
【符号の説明】
４、１０    布張りの箸（食器）
５、１１    箸本体（本体）
５ａ、１１ａ、１４ａ、１７ａ、１９ａ    表面部
６、１８、２０    布片（ガーゼまたはガーゼ風の布目の粗い布）
７          両面粘着テープ
９          布が張り付けられていない部分
１２、１５  布帯（ガーゼまたはガーゼ風の布目の粗い布）
１３        布張りの椀（食器）
１４        椀本体（本体）
１６        布張りの重箱（食器）
１７        重箱本体（本体）
１９        蓋（本体）
【図１】
0003649571.tif 000002
【図２】
0003649571.tif 000003
【図３】
0003649571.tif 000004
【図４】
0003649571.tif 000005
【図５】
0003649571.tif 000006
【図６】
0003649571.tif 000007